(57)【要約】      （修正有）【課題】仲介電子機器側の差込口構造体に信号ケーブルの端子部分が差し込まれているか否かの挿抜検出を簡易な構造かつ簡易に電気的検出可能なケーブル挿抜検出機能付電子機器を提供する。【解決手段】プリント基板０２０１とプリント基板上に設けられ信号ケーブル０２０６を介して外部から取得する信号を処理する信号処理回路０２０２とプリント基板上に設けられ信号ケーブルの端子部分を差し込まれることで信号ケーブルの端子部分を機械的に保持する筐体を備え、筐体のうちプリント基板側の部分の一部に開口又は切り欠きを有する差込口構造体０２０３と差込口構造体の開口又は切り欠き部分の筐体内方に向けて光を出射する光出射部０２０４と光出射部から出射された光の反射光を検出する反射光検出部０２０５と光出射部と反射光検出部とにプリント基板からの電源を供給する電源供給部０２０７、０２０８とを有するケーブル挿抜検出機能付電子機器０２００。【選択図】図２
2019125428.tif 000002
【特許請求の範囲】
【請求項１】
プリント基板と、
前記プリント基板上に設けられ信号ケーブルを介して外部から取得する信号を処理する信号処理回路と、
前記プリント基板上に設けられ信号ケーブルの端子部分を差し込まれることで信号ケーブルの端子部分を機械的に保持する筐体を備えるとともに筐体のうちプリント基板側の部分の少なくとも一部に開口又は切り欠きを有する差込口構造体と、
前記差込口構造体の開口又は切り欠き部分の筐体内方に向けて光を出射する光出射部と、
光出射部から出射された光の反射光を検出する反射光検出部と、
光出射部と反射光検出部とに前記プリント基板からの電源を供給する電源供給部と、
を有するケーブル挿抜検出機能付電子機器。
【請求項２】
前記光出射部と、反射光検出部とは、プリント基板の一部を切り取って、プリント基板と略面一に設けられるフォトセンサ構造体である請求項１に記載のケーブル挿抜検出機能付電子機器。
【請求項３】
前記プリント基板上には複数の差込口構造体があり、
差込口構造体を識別する差込口識別子と関連付けて反射光検出部の検出結果を出力する検出結果出力部をさらに有する請求項１又は請求項２に記載の挿抜検出機能付電子機器。
【請求項４】
検出結果出力部からの検出結果を、その検出結果と関連付けられている差込口識別子で識別される差込口とは別の差込口に差し込まれている信号ケーブルを介して外部に出力する出力制御部をさらに有する請求項３に記載の挿抜検出機能付電子機器。
【請求項５】
検出結果出力部からの検出結果を、無線で出力する無線出力部を有する請求項３又は請求項４に記載の挿抜検出機能付電子機器。
【請求項６】
検出結果出力部からの検出結果を、光、音、振動のいずれか一以上で警報する警報部をさらに有する請求項３から請求項５のいずれか一に記載の挿抜検出機能付電子機器。
【請求項７】
筐体は、差し込まれる信号ケーブルが、前記差し込まれる部分の底面部分が平面状である信号ケーブルに適した空間を形成する請求項１から請求項６のいずれか一に記載の挿抜検出機能付電子機器。
【請求項８】
プリント基板と、
前記プリント基板上に設けられ信号ケーブルを介して外部から取得する信号を処理する信号処理回路と、
前記プリント基板上に設けられ信号ケーブルの端子部分をさし込まれることで信号ケーブルの端子部分を機械的に保持する筐体を備えるとともに筐体のうちプリント基板側の部分の少なくとも一部に開口又は切り欠きを有する差込口構造体と、
前記差込口構造体の開口又は切り欠き部分の筐体内方に向けて光を出射する光出射部と、
光出射部から出射された光の反射光を検出する反射光検出部と、
を有するケーブル挿抜検出機能付電子機器の動作方法であって、
光出射部によって光を出射する光出射ステップと、
出射された光の反射光を検出する反射光検出ステップと、
反射光の強度又は／及び波長によって信号ケーブルの端子部分が差込口構造体に差し込まれているか判断する判断ステップと、
判断結果を出力する判断結果出力ステップと、
を有するケーブル挿抜検出機能付電子機器の動作方法。
【発明の詳細な説明】
【技術分野】
【０００１】
本発明は、ケーブル挿抜検出機能付電子機器に関し、特に信号ケーブルの端子部分が差込口構造体に差し込まれているか否かの挿抜検出に好適なケーブル挿抜検出機能付電子機器に関する。
【背景技術】
【０００２】
従来、通信用ケーブルを接続する通信を仲介する仲介電子機器としては、ハブ、スイッチングハブ、ルーター、無線ＬＡＮルーター、メディアコンバーター、交換機、などがあり、それらの電子機器の差し込み口構造体（例えば、モジュラージャック等）に通信用ケーブルの両端の端子部分（例えば、モジュラープラグ等）の一方を差し込み、他端の端子部分（例えば、モジュラープラグ等）を通信に利用したい利用電子機器（例えば、コンピュータ、電話機等）の差込口構造体（例えば、モジュラージャック等）に差し込むことにより通信が可能となる。すなわち、コンピュータ等とハブとの間は通信用ケーブル（例えば、ＬＡＮケーブル等）を介して接続され、ハブの先にある通信装置を介して例えばインターネット上のホームページ閲覧やネットショッピング、インターネット検索等が行えるようになる。
【０００３】
このような仲介電子機器では、仲介電子機器を介する通信によって仲介電子機器を介して接続されているコンピュータ等の利用電子機器の一覧を見ることができる。これによって、仲介電子機器を介して接続されているコンピュータ等を知ることができる。
【０００４】
仲介電子機器に接続されるコンピュータ等の台数が多数になると、仲介電子機器にあと何台の利用電子機器を接続できるポートがあるかなどの状況確認が必要な際に接続されているコンピュータの一覧を見ることでその数を知ることも考えられる。しかし、接続されている利用電子機器（コンピュータ等）の電源が入っていない場合、通信の準備が整っていない場合などには一覧としてその利用電子機器がリスト化されないので、このような状況が想定され得る場合には実際に仲介電子機器の設置場所に出向いて目視する必要があった。
【０００５】
このような煩雑を回避するアイデアとして、挿入プラグ側のスイッチを挿入されるモジュラープラグで押圧して挿入を検出するプラグ検出装置が開示されている（特許文献１：段落番号００３９  図４参照）。
【０００６】
他の例としては、スイッチングハブにおいて、差込口構造体としてのモジュラ―ジャックのコネクタに使われていないポートの検出を行うスイッチがコネクタの内部に設けられ、ＬＡＮ端末のケーブルコネクタが挿抜されたことを検出するシステムが開示されている（特許文献２）。
【０００７】
さらに、他の例としては、電源ケーブルと差込プラグとの差込状態を検出する装置として、差込プラグ側に設けられる機構であって、プラグ受け側に対して光を照射する発光部と、プラグ受けからの反射光の一部を受光する受光部を備えた構成が開示されている（特許文献３）。
【先行技術文献】
【特許文献】
【０００８】
【特許文献１】特開２０１２−１１３８７２号公報
【特許文献２】特開２００９−４９７３２号公報
【特許文献３】特開２０１４−２０７０７５号公報
【発明の概要】
【発明が解決しようとする課題】
【０００９】
特許文献１、２の例では、差込口構造体としてのモジュラージャックの内部に挿抜検出スイッチを内蔵しているので、システムの構成が複雑になるという問題がある。
【００１０】
特許文献３の例では、仲介電子機器側に挿抜検出機能が設置されていないので、情報処理が困難である。つまり、仲介電子機器にいくつの数の利用電子機器が接続されているかを知る目的には利用しづらい。
【００１１】
本発明の目的は、仲介電子機器側の差込口構造体に通信ケーブルの端子部分が差し込まれているか否かの挿抜検出機構を簡易的な構造で、かつ簡易的に電気的検出可能なケーブル挿抜検出機能付電子機器を提供することにある。
【課題を解決するための手段】
【００１２】
上記課題を解決するために本発明において、以下のケーブル挿抜検出機能付電子機器を提供する。すなわち、第一の発明として、プリント基板と、前記プリント基板上に設けられ信号ケーブルを介して外部から取得する信号を処理する信号処理回路と、前記プリント基板上に設けられ信号ケーブルの端子部分を差し込まれることで信号ケーブルの端子部分を機械的に保持する筐体を備えるとともに筐体のうちプリント基板側の部分の少なくとも一部に開口又は切り欠きを有する差込口構造体と、前記差込口構造体の開口又は切り欠き部分の筐体内方に向けて光を出射する光出射部と、光出射部から出射された光の反射光を検出する反射光検出部と、光出射部と反射光検出部とに前記プリント基板からの電源を供給する電源供給部と、を有するケーブル挿抜検出機能付電子機器（請求項１対応）。
【００１３】
前記特徴に加え、前記光出射部と、反射光検出部とは、プリント基板の一部を切り取って、プリント基板と略面一に設けられるフォトセンサ構造体であるケーブル挿抜検出機能付電子機器（請求項２対応）。
【００１４】
前記特徴に加え、前記プリント基板上には複数の差込口構造体があり、差込口構造体を識別する差込口識別子と関連付けて反射光検出部の検出結果を出力する検出結果出力部をさらに有する挿抜検出機能付電子機器（請求項３対応）。
【００１５】
前記特徴に加え、検出結果出力部からの検出結果を、その検出結果と関連付けられている差込口識別子で識別される差込口とは別の差込口に差し込まれている信号ケーブルを介して外部に出力する出力制御部をさらに有する挿抜検出機能付電子機器（請求項４対応）。
【００１６】
前記特徴に加え、検出結果出力部からの検出結果を、無線で出力する無線出力部を有する挿抜検出機能付電子機器（請求項５対応）。
【００１７】
前記特徴に加え、検出結果出力部からの検出結果を、光、音、振動のいずれか一以上で警報する警報部をさらに有する挿抜検出機能付電子機器（請求項６対応）。
【００１８】
前記特徴に加え、筐体は、差し込まれる信号ケーブルが、前記差し込まれる部分の底面部分が平面状である信号ケーブルに適した空間を形成する挿抜検出機能付電子機器（請求項７対応）。
【００１９】
方法の発明として、プリント基板と、前記プリント基板上に設けられ信号ケーブルを介して外部から取得する信号を処理する信号処理回路と、前記プリント基板上に設けられ信号ケーブルの端子部分をさし込まれることで信号ケーブルの端子部分を機械的に保持する筐体を備えるとともに筐体のうちプリント基板側の部分の少なくとも一部に開口又は切り欠きを有する差込口構造体と、前記差込口構造体の開口又は切り欠き部分の筐体内方に向けて光を出射する光出射部と、光出射部から出射された光の反射光を検出する反射光検出部と、を有するケーブル挿抜検出機能付電子機器の動作方法であって、光出射部によって光を出射する光出射ステップと、出射された光の反射光を検出する反射光検出ステップと、反射光の強度又は／及び波長によって信号ケーブルの端子部分が差込口構造体に差し込まれているか判断する判断ステップと、判断結果を出力する判断結果出力ステップと、を有するケーブル挿抜検出機能付電子機器の動作方法（請求項８対応）。
【発明の効果】
【００２０】
上述した構成によれば、仲介電子機器側の差込口構造体に通信ケーブルの端子部分が差し込まれているか否かの挿抜検出機構を簡易的な構造で、かつ簡易的に電気的検出可能なケーブル挿抜検出機能付電子機器を提供することができる。これにより仲介電子機器の差込口構造体の空きがあといくつあるか遠隔からでも確認可能となる。
【図面の簡単な説明】
【００２１】
【図１】実施形態１のケーブル挿抜検出機能付電子機器の概念図
【図２】実施形態１のケーブル挿抜検出機能付電子機器の機能ブロック図
【図３】実施形態２のケーブル挿抜検出機能付電子機器の筐体構造図
【図４】実施形態３のケーブル挿抜検出機能付電子機器の機能ブロック図
【図５】実施形態４のケーブル挿抜検出機能付電子機器の機能ブロック図
【図６】実施形態５のケーブル挿抜検出機能付電子機器の機能ブロック図
【図７】実施形態６のケーブル挿抜検出機能付電子機器の機能ブロック図
【図８】実施形態７のケーブル挿抜検出機能付電子機器に接続される信号ケーブルの例を示す図
【図９】実施形態７のケーブル挿抜検出機能付電子機器の筐体の空間を示す図
【図１０】実施形態１のケーブル挿抜検出機能付電子機器の挿抜検出動作フローチャート
【図１１】実施形態１のケーブル挿抜検出機能付電子機器がスイッチングハブの例を示す図
【図１２】実施形態１におけるケーブル挿抜検出機能付電子機器を用いたネットワーク管理画面例を示す図
【発明を実施するための形態】
【００２２】
以下に、図を用いて本発明の実施の形態を説明する。なお、本発明はこれら実施の形態に何ら限定されるものではなく、その要旨を逸脱しない範囲において、種々なる態様で実施しうる。
＜実施形態１＞
＜概要＞
【００２３】
図１は、本願発明であるケーブル挿抜検出機能付電子機器のケーブル差込口の近辺（背面板０１０７側）をケーブル差込側から観察した概念図である。この図に示すように、本ケーブル挿抜検出機能付電子機器は、信号処理回路が搭載されるプリント基板０１００上の端部に差込口構造体０１０１を設置し、差込口構造体０１０１の一部に切り欠き又は開口０１０５を設け、差込口構造体０１０１への信号ケーブル（通信ケーブル）０１０６の端子部分０１０２の挿抜を検出するための光出射部０１０３と光出射部から出射した光の反射を検出する反射光検出部０１０４を設けた簡易的な構造としてケーブル挿抜検出機構を実現したものである。
＜実施形態１  構成＞
【００２４】
図２は本実施形態の機能ブロック図である。図２に示すように、実施形態１のケーブル挿抜検出機能付電子機器０２００は、プリント基板０２０１と、信号処理回路０２０２と、差込口構造体０２０３と、光出射部０２０４と、反射光検出部０２０５と、電源供給部０２０７、０２０８と、を有する。差込口構造体０２０３へ信号ケーブル０２０９の端子部分０２０６が差し込まれる構成を有している。
＜実施形態１  構成の説明＞
＜実施形態１  プリント基板＞
【００２５】
「プリント基板」０２０１は、ケーブル挿抜検出機能付電子機器０２００の主要な機能を実現する各種デバイスが搭載されている。本願の電子機器は、仲介電子機器を想定しているので、ルーター回路、スイッチング回路、リピータ回路などの、通信の状況を管理する回路が本プリント基板上に構成される。ただし、本願の電子機器は仲介電子機器に厳密には限定されるものでなく、パーソナルコンピュータ、スマートフォン、携帯電話、タブレット端末、ゲーム端末、テレビモニター、録画機器（ハードディスク録画装置、ＤＶＤ録画装置）、録音機器、スタジオなどに設けられる調整卓、テレビ放送局やテレビ放送車などに設けられる映像切換装置なども含むものである。従って、本プリント基板上にはこれらの機能を実現するための回路の全部又は一部が構成される。
【００２６】
後述するように差込口構造体の下に位置するプリント基板は一部を切り欠いて、光出射部と反射光検出部を別途配置するように構成してもよいし、プリント基板を切り欠かないで光出射部と反射光検出部を配置するように構成してもよい。しかし、いずれの場合も、差込口構造体の筐体の一部が切り欠かれているので、その分、外来ノイズのシールド効果が弱まる。従って、その代わりにプリント基板に銅シールド面などを設けたり、別途配置される光出射部と反射光検出部を搭載したプリント基板の部分に銅シールド面などを配置することが好ましい。
＜実施形態１  信号処理回路＞
【００２７】
「信号処理回路」０２０２はプリント基板０２０１上に設けられ信号ケーブル０２０９を介して外部から取得する信号を処理する。信号処理回路０２０２はコンピュータとスイッチングハブなどの通信機器間の通信制御などを行う。以下では、電子機器２００はスイッチングハブやハブを想定して説明する。信号にはデータ信号、音声信号、画像信号、映像信号などが含まれる。また信号処理回路０２０２は、一の差込口構造体を介して入力されたものが、処理されたうえで他の差込口構造体に対して出力されるような構成を含むものである。処理にはパケットヘッダ情報の編集の他に、パケットのペイロードの情報の編集なども含まれてもよい。
＜実施形態１  差込口構造体＞
【００２８】
「差込口構造体」０２０３は、プリント基板０２０１上に設けられ信号ケーブル０２０９の端子部分０２０６を差し込まれることで信号ケーブルの端子部分を機械的に保持する筐体（後述図３を参照）を備えるとともに筐体のうちプリント基板側の部分の少なくとも一部に開口又は切り欠きを有する。差込口構造体０２０３は、後述図３に示すように筐体を有し、この筐体の最外面は主に金属製の薄板材料が用いられる。また、薄板の内部には、差し込まれる端子部分を機械的に抱え込むことができるような構造を有しており、この部分はプラススティック材料や、信号ケーブルと信号をやり取りする金属材料、さらには信号ケーブル０２０９から取得した信号を信号処理回路０２０２に渡すプリント基板０２０１に対してコンタクトするための金属製の端子などから構成されている。
【００２９】
差込口構造体０２０３は、信号ケーブル０２０９の端子部分０２０６を機械的に保持するとともに、外来ノイズから信号ケーブル中の信号を保護する役割を果たす。差込口構造体０２０３の筐体は、プリント基板０２０１側の部分の一部に開口又は切り欠きが設けられており、その設置場所はプリント基板０２０１の端部が望ましい。端子部分０２０６の挿抜検出には、信号ケーブル０２０９の差し込まれる部分が最適だからである。差込口構造体０２０３の筐体は金属製の場合にプリント基板０２０１に配置されるアースラインに接続されていることが好ましい。
＜実施形態１  光出射部＞
【００３０】
「光出射部」０２０４は、差込口構造体０２０３の開口又は切り欠き部分の筐体内方に向けて光を出射する。信号ケーブル０２０９の端子部分（プラグ）０２０６が差込口構造体０２０３へ差し込まれている場合と差し込まれていない場合では光出射部０２０４から出射された光の反射率が異なる。この反射率の差を利用することで、信号ケーブル０２０９の挿抜を検出することができる。信号ケーブル０２０９の端子部分０２０６は透明であっても良く、白、黒、青などの色付きのものでも良い。光出射部０２０４は、ＬＥＤで構成されるのが典型例である。また出射方向は、直接的に出射光が反射光検出部０２０５に入射しない方向に出射されるように構成する。また信号ケーブル０２０９の端子部分０２０６に対して３０度から６０度の角度で入射するように構成する。さらには、出射された光が差込口構造体０２０３の内部の天井部分にあたった場合には、その反射光ができるだけ反射光検出部０２０５に届かない向きに出射することが好ましい。
【００３１】
また反射光検出部０２０５で検出する波長は、屋内照明で生じない又は生じる量が少ない波長にすることが好ましい。従って青色領域や近紫外、紫外領域を利用することも考えられる。またノイズを防止するために所定の周期でＯＮ／ＯＦＦさせる構成としてもよい。この場合には、反射光検出部０２０５もこれに同期した反射光の成分のみを検出して反射光の受光の有無を判断するように構成する。所定の周期は１秒から数秒程度、例えば１秒から３秒程度の周期である。１秒ＯＮ、１秒ＯＦＦでもよいし、１秒ＯＮ、３秒ＯＦＦでもよい。あるいは、反射光検出部０２０５は、常時、受光状態となっており、光出射部０２０４の光出射タイミングの受光情報から光出射タイミング外での受光情報を差し引くことによってノイズを削除するように構成してもよい。
＜実施形態１  反射光検出部＞
【００３２】
「反射光検出部」０２０５は光出射部０２０４から出射された光の反射光を検出する。光出射部０２０４と反射光検出部０２０５で、フォトセンサ構造体（後述図３参照）を構成している。すなわち、反射型フォトセンサを構成している。反射光の強度が少ない場合にはフォトセンサを複数利用したり、大面積のフォトセンサを利用したりする。また反射光の強度が少ない場合にはできるだけ挿入される端子部分０２０６に近接する位置に反射光検出部０２０５を設置するように構成する。例えば距離を２ｍｍから３ミリメートル程度とする。また光出射部と、反射光検出部のＬＥＤやフォトセンサの部分には凸面レンズを付与することが好ましい。ホコリがたまって性能が劣化しないように、ホコリがたまりにくくするためである。
＜実施形態１  電源供給部＞
【００３３】
「電源供給部」０２０７、０２０８は、光出射部０２０４と反射光検出部０２０５とにプリント基板０２０１からの電源を供給する。電源供給部０２０７は光出射部０２０４への電源供給を行い、電源供給部０２０８は反射光検出部０２０５への電源供給を行う。電源供給はプリント回路基板０２０１から、すなわち本願発明の本体である仲介電子機器から供給されるので、特許文献３のようにケーブルに依存しておらず、また電池式でないためにケーブルの挿抜に無関係に機能するために信頼性を有する。また本電源供給部は、他の実施形態にて後述する「検出結果出力部」、「出力制御部」、「無線出力部」にも電源を供給するように構成することが好ましい。電源供給部は、公共電力ラインからの電力を直接利用する形態の他、本ケーブル挿抜検出機能付電子機器に備えられたバッテリーや、コンデンサが電源の供給を受けて万一、公共電力ラインからの電力が利用できなくなった場合でもある一定時間内には機能を果たすように構成してもよい。
＜実施形態１  その他の構成  信号ケーブル＞
【００３４】
「信号ケーブル」０２０９は、データ通信を行うための通信用の信号ケーブルである。
この信号ケーブルの両端には、差込口構造体０２０３に差し込まれる端子部分０２０６を有している。信号ケーブル０２０９がＬＡＮケーブルの場合はＲ４５Ｊコネクタを有している。信号ケーブル０２０９が電話用のモジュラーケーブルの場合は、ＲＪ１１コネクタを有している。
＜実施形態１  ケーブル挿抜検出動作方法＞
【００３５】
図１０に示すように、ケーブル挿抜検出機能付電子機器の動作方法は、図１に示すケーブル挿抜検出機能付電子機器において以下のようにケーブル挿抜検出を行う。
【００３６】
まず、光出射部０２０２によって光を出射する光出射ステップを実行する（ステップ１００１）。
【００３７】
次に反射光検出部０２０５により出射された光の反射光を検出する反射光検出ステップを実行する（ステップ１００２）。
【００３８】
次に反射光検出部０２０５で検出された反射光の強度又は／及び波長によって信号ケーブル０２０９の端子部分０２０６が差込口構造体０２０３に差し込まれているか判断する判断ステップを実行する（ステップ１００３）。
【００３９】
次に判断結果を出力する判断結果出力ステップを実行する（ステップ１００４）。
【００４０】
以下では、図１２に示す通信ポートが７ポートの仲介電子機器としてのハブ（識別番号：０３１７）に、利用電子機器としてのＰＣが複数台接続されているときの差込口（ポート）の使用状況を利用電子機器が電源ＯＦＦでも検出できることを説明する。図１２は、例えば、ネットワーク管理者がネットワークを介して接続されたＰＣの使用状況をサーバのモニターに一覧表示している画面を示している。ここで、本実施形態１によれば、通信ポートＮＯ１はＰＣ０３が稼働中であり、差込口構造体の差込口も信号ケーブルの端子部分が接続されている状態を示す。通信ポートＮＯ３とＮＯ６はＰＣの電源がＯＦＦ状態なので従来の方法では差込口（通信ポート）が実際は空いているか不明であるが、本実施形態のケーブル挿抜検出機構により物理的に信号ケーブルの端子部分（プラグ）を検出するので、通信ポートＮＯ３とＮＯ６は空いていないことがわかる。
【００４１】
以上のようにケーブル挿抜検出を行い、通信ポートＮＯ４とＮＯ７のみ実際に差込口（通信ポート）が空いていることがわかる。このように、ケーブル挿抜検出機能を簡易な構造で実現し、ＰＣの稼働状態にかかわらず、通信ポートの使用状況がわかるようになる。さらには、通信ポートを占有しているが稼働していない利用電子機器が接続されている状況も把握可能である。これは、仲介電子機器を介したパケット試験（ＰＩＮＧ疎通試験）及び、本願発明によって得られる差込口の物理的な利用状況の情報を合わせて分析することでわかることである。
【００４２】
従って、本願ケーブル挿抜検出機能付電子機器から検出結果の検出結果取得部と、当該仲介電子機器を介したコンピュータの稼働状況情報取得部とにおいて、各差込口識別情報で識別される差込口毎に分析をする分析装置を用いると便利である。特に差込口識別情報で識別される一の差込口に対してＰＣの稼働状況情報なし（取得できず）の場合に、その差込口で信号ケーブルの端子部分が検出されない場合にはその差込口は他の電子機器にて利用可能と判断でき、同じくＰＣの稼働状況情報なし（取得できず）で、その差込口で信号ケーブルの端子部分が検出された場合には、その先に電子機器が接続されており、かつ、その電子機器は稼働していない、という情報を取得できることになる。
【００４３】
このように、実施形態１によれば、仲介電子機器側の差込口構造体に信号ケーブルの端子部分が差し込まれているか否かの挿抜検出機構を簡易的な構造で、かつ簡易的に電気的検出可能なケーブル挿抜検出機能付電子機器を提供することができる。これにより仲介電子機器の差込口構造体の空きがあといくつあるか遠隔からでも確認可能となる。
＜実施形態２＞
＜概要＞
【００４４】
図３に示すように、実施形態２のケーブル挿抜検出機能付電子機器は、実施形態１を基本としつつ、前記筐体に設けられている開口又は切り欠きに対向するプリント基板の一部を切り取って、光出射部０３０５と反射光検出部０３０６と備える。光出射部０３０５と反射光検出部０３０６とは、その切り取ったスペースにプリント基板０３０１と略面一に設けられるフォトセンサ構造体０３０７とすることができる。これにより、簡単な構成で狭い空間にも設置され、フォトセンサ構造体は光出射部と反射光検出部を一体構成としている。
＜実施形態２  構成＞
【００４５】
図３に示すように、実施形態２のケーブル挿抜検出機能付電子機器は、プリント基板０３０１と、信号処理回路０３０２と、差込口構造体０３０３と、筐体０３０４と、光出射部０３０５と、反射光検出部０３０６と、フォトセンサ構造体０３０７と、電源供給部０３０８、０３０９と、を有する。差込口構造体０３０３へ図示しない信号ケーブルの端子部分が差し込まれているか否かをフォトセンサ構造体０３０７で検出する。以下では、実施形態１と同様な構成については説明を省略することとし、実施形態２に特徴的な構成について説明する。
＜実施形態２  構成の説明＞
＜実施形態２  フォトセンサ構造体＞
【００４６】
「フォトセンサ構造体」０３０７である光出射部０３０５と、反射光検出部０３０６とは、プリント基板０３０１の一部を切り取って、プリント基板０３０１と略面一に配置されている。具体的には、フォトセンサ構造体０３０７の光出射部０３０５と反射光検出部０３０６とが一体構成であってもよく、別体構成であってもよい。一体構成の反射型フォトセンサの場合は、光出射面と反射光検出面（反射光受光面）は同じ側に設けられ略同一面に形成されるので、ケーブル挿抜検出機構を小型で狭いスペースに設置することができる。電源供給部０３０８、０３０９はフォとセンサ構造体０３０７に設けているので、電源供給はプリント基板０３０１から行ったり、図示しない外部電源を用いてケーブル挿抜検出機能を実現しても良い。
【００４７】
外部電源からケーブル挿抜検出機能を実現する場合は、電子機器の電源が入っていなくても、信号ケーブルの端子部分が差込口構造体０３０３へ挿入されているか否かを検出することができる。筐体０３０４の反射光の検出感度を上げるため、筐体０３０４の裏側（光出射部からの光を反射する）の面に黒色塗料を塗っておくとよい。また、信号ケーブルの半抜け状態を検出するため、光出射部０３０５と反射光検出部０３０６の配置を差込口構造体０３０３の奥側に設置するのが望ましい。
【００４８】
本実施形態によると、プリント基板の一部を切り取ってプリント基板と面一にフォトセンサ構造体の上面が揃えられるので、従来機種に改良を加える場合に大きな設計変更をすることなく新機能を実現できる。大きな設計変更とは、本電子機器のプリント基板と、本電子機器そのものの筐体との位置関係などの変更である。
＜実施形態３＞
＜概要＞
【００４９】
実施形態３のケーブル挿抜検出機能付電子機器は、実施形態１、２を基本としつつ、プリント基板上に複数の差込口構造体を設け、各差込口構造体を識別する差込口識別子と関連づけて、反射光検出部の検出結果を出力する検出結果出力部をさらに有する点に特徴がある。
＜実施形態３  構成＞
【００５０】
図４に示すように、実施形態３のケーブル挿抜検出機能付電子機器０４００は、プリント基板０４０１と、信号処理回路０４０２と、光出射部と反射光検出部とを有する差込口構造体０４０３、０４０４と、検出結果出力部０４０５と、差込口構造体０４０３の電源供給部０４０８、０４０９と、差込口構造体０４０４の電源供給部０４１０、０４１１とを有する。差込口構造体０４０３へ信号ケーブル０４１２の端子部分０４０６が差し込まれ、差込口構造体０４０４へ信号ケーブル０４１３の端子部分０４０７が差し込まれる構成を有している。
＜実施形態３  構成の説明＞
＜実施形態３  複数の差込口構造体＞
【００５１】
「複数の差込口構造体」０４０３、０４０４はプリント基板０４０１上にそれぞれ光出射部と反射光検出部を有している。差込口構造体０４０３には電源供給部０４０８、０４０９を有し、差込口構造体０４０４には電源供給部０４１０、０４１１を有している。光出射部と反射光検出部の配置はそれぞれ図２と同様であるので、説明を省略する。
＜実施形態３  検出結果出力部＞
【００５２】
「検出結果出力部」０４０５は、差込口構造体０４０３と０４０４とを識別する差込口識別子と関連付けてそれぞれの反射光検出部の検出結果を出力する。差込口識別子とは、通信ポート番号（ＮＯ）などを示す。検出結果出力部０４０５は、差込口構造体０４０３又は０４０４に信号ケーブル０４１２又は０４１３が挿入されているか否かを差込口識別子の通信ポートＮＯと共に検出結果を信号処理回路０４０２へ出力する。信号処理回路０４０２は、上位の装置に検出結果を出力したり、電子機器０４００内の後述する警報部に出力することにより検出結果を外部に知らせることができる。
【００５３】
このように、実施形態３によれば、実施形態１、２に加え、プリント基板上に複数の差込口構造体を有し、それぞれの差込口構造体毎にケーブル挿抜検出機能を備えたので、通信ポート毎に信号ケーブルの挿抜検出ができる。ケーブル挿抜検出機能の構成が簡単なので、多数のポートを有するハブやスイッチングバブに適用しても、部品コストを押さえつつ、ケーブル挿抜検出機能の搭載が可能となる。
＜実施形態４＞
＜概要＞
【００５４】
実施形態４のケーブル挿抜検出機能付電子機器は、実施形態３を基本としつつ、前記検出結果出力部からの検出結果を、その検出結果と関連付けられている差込口識別子で識別される差込口とは別の差込口に差し込まれている信号ケーブルを介して外部に出力する出力制御部をさらに有する点に特徴がある。
＜実施形態４  構成＞
【００５５】
図５に示すように、実施形態４のケーブル挿抜検出機能付電子機器０５００は、プリント基板０５０１と、信号処理回路０５０２と、光出射部と反射光検出部とを有する差込口構造体０５０３、０５０４と、検出結果出力部０５０５と、差込口構造体０５０３の電源供給部０５０９、０５１０と、差込口構造体０５０４の電源供給部０５１１、０５１２を有し、さらに出力制御部０５０６を有する。差込口構造体０５０３へ信号ケーブル０５１３の端子部分０５０７が差し込まれ、差込口構造体０５０４へ信号ケーブル０５１４の端子部分０５０８が差し込まれる構成を有している。光出射部と反射光検出部の配置はそれぞれ図２と同様であるので、説明を省略する。
＜実施形態４  構成の説明＞
＜実施形態４  出力制御部＞
【００５６】
「出力制御部」０５０６は、検出結果出力部０５０５からの検出結果を、その検出結果と関連付けられている差込口識別子で識別される差込口とは別の差込口に差し込まれている信号ケーブルを介して外部に出力する。出力制御部０５０６は検出結果出力部０５０５と信号処理回路０５０２との間に設けられる。例えば、差込口構造体０５０３の差込口に信号ケーブル０５１３の端子部分（差込プラグ）が接続され、差込口構造体０５０４の差込口に信号ケーブル０５１４の端子部分（差込プラグ）０５０８が接続された場合、差込口構造体０５０３の光出射部から出射された光は端子部分０５０７で反射され、反射された反射光は反射光検出部で検出され、検出結果が検出結果出力部０５０５へ送られる。検出結果出力部０５０５では差込口構造体０５０３の差込口識別子と関連付けて検出結果を出力する。その検出結果は検出結果出力部０５０５から出力制御部０５０６へ送られ、信号処理回路０５０２を経由して差込口構造体０５０４の差込口（通信ポート）から信号ケーブル０５１４を介して外部に出力される。
【００５７】
信号ケーブル０５１３が接続されていない場合は、光出射部と反射光検出部からなるケーブル挿抜検出機構により差込口構造体０５０３の差込口（通信ポート）に信号ケーブル０５１３の端子部分（差込プラグ）０５０７が接続されていない検出結果を検出結果出力部０５０５に出力する。検出結果出力部０５０５は差込口識別子（例えば、差込口通信ポート番号）とともに接続されていないことを示す情報を出力制御部０５０６へ出力する。出力制御部０５０６では、信号処理回路０５０２から差込口構造体０５０４の差込口（通信ポート）から外部に出力する。
【００５８】
実施形態４では、差込口構造体が２つの例を示したが、図１１に示すように、差込口構造体が多数のスイッチングハブのような場合にも同様に適用できる。ここで、プリント基板は１段構成がよい。プリント基板が２段以上の構成では、ケーブル挿抜検出機構が複雑になるからである。なお、本実施形態では、「検出結果出力部からの検出結果を、その検出結果と関連付けられている差込口識別子で識別される差込口とは別の差込口に差し込まれている信号ケーブルを介して外部に出力する。」とするが、当然、その検出結果と関連付けられている差込口識別子で識別される差込口に接続されている信号ケーブルを介して外部に出力することを妨げるものでなく、すべての差込口に対して検出結果を出力するように構成するとしてもよい。
【００５９】
このように、実施形態４によれば、実施形態３に加え、検出結果出力部からの検出結果を、出力制御部から別の差込口に差し込まれている信号ケーブルを介して外部に出力するので、遠隔地（または仲介電子機器と離れている）の場所にある上位の装置（例えば、サーバ等）は物理的に信号ケーブルの端子部分（差込プラグ）が挿入されているか否かも知ることができる。すなわち、ネットワーク管理者は仲介電子機器の実際に使用可能な通信ポートの確認も遠隔地から行うことができる。
＜実施形態５＞
＜概要＞
【００６０】
実施形態５のケーブル挿抜検出機能付電子機器は、実施形態３又は４を基本としつつ、前記検出結果出力部からの検出結果を、無線で出力する無線出力部を有する点に特徴がある。
＜実施形態５  構成＞
【００６１】
図６に示すように、実施形態５のケーブル挿抜検出機能付電子機器０６００は、プリント基板０６０１と、信号処理回路０６０２と、光出射部と反射光検出部とを有する差込口構造体０６０３、０６０４と、検出結果出力部０６０５と、差込口構造体０６０３の電源供給部０６０９、０６１０と、差込口構造体０６０４の電源供給部０６１１、０６１２を有し、さらに無線出力部０６０６を有する。差込口構造体０６０３へ信号ケーブル０６１３の端子部分０６０７が差し込まれ、差込口構造体０６０４へ信号ケーブル０６１４の端子部分０６０８が差し込まれる構成を有している。光出射部と反射光検出部の配置はそれぞれ図２と同様であるので、説明を省略する。
＜実施形態５  構成の説明＞
＜実施形態５  無線出力部＞
【００６２】
「無線出力部」０６０６は、検出結果出力部０６０５からの検出結果を、無線で出力する。無線出力部０６０６は信号処理回路０６０２の後段に設けられている。検出結果出力部０６０５からの差込口識別子と関連づけられた反射光検出結果を信号処理回路０６０２で無線信号形式に変換され、無線出力部０６０６から外部に出力される。このタイプの仲介電子機器としては、無線ＬＡＮルーターなどが挙げられる。実施形態５では、差込口構造体０６０３又は０６０４の差込口を使用しないで反射光検出部の検出結果を外部出力できるので、差込口構造体の差込口（通信ポート）に信号ケーブルの端子部分（差込プラグ）が挿入されているか否かに関係なく、差込口の使用状況確認ができる。
【００６３】
このように、実施形態５によれば、実施形態３又は４に加え、検出結果出力部からの検出結果を、無線出力部から無線で外部に出力するので、遠隔地（または仲介電子機器と離れている）の場所にある上位の装置（例えば、サーバ等）は物理的に信号ケーブルの端子部分（差込プラグ）が挿入されているか否かも知ることができる。すなわち、ネットワーク管理者は仲介電子機器の実際に使用可能な通信ポートの確認も遠隔地から行うことができる。
＜実施形態６＞
＜概要＞
【００６４】
実施形態６のケーブル挿抜検出機能付電子機器は、実施形態３〜５を基本としつつ、検出結果出力部からの検出結果を、光、音、振動のいずれか一以上で警報する警報部をさらに有する点に特徴がある。
＜実施形態６  構成＞
【００６５】
図７に示すように、実施形態６のケーブル挿抜検出機能付電子機器０７００は、プリント基板０７０１と、信号処理回路０７０２と、光出射部と反射光検出部とを有する差込口構造体０７０３、０７０４と、検出結果出力部０７０５と、差込口構造体０７０３の電源供給部０７１０、０７１１と、差込口構造体０７０４の電源供給部０７１２、０７１３を有し、さらに警報部０７０６、０７０７を有する。差込口構造体０７０３へ信号ケーブル０７１４の端子部分０７０８が差し込まれ、差込口構造体０７０４へ信号ケーブル０７１５の端子部分０７０９が差し込まれる構成を有している。光出射部と反射光検出部の配置はそれぞれ図２と同様であるので、説明を省略する。
＜実施形態６  構成の説明＞
＜実施形態６  警報部＞
【００６６】
「警報部」０７０６、０７０７は、検出結果出力部０７０５からの検出結果を、光、音、振動のいずれか一以上で警報する。警報部０７０６又は０７０７は、差込口構造体０７０３又は０７０４それぞれに設けられている。警報部０７０６又は０７０７が光の場合はＬＥＤ表示部材で構成し、電子機器０７００の外側で差込口構造体毎の使用状況が外部から確認できる位置に設けられる。音の場合は例えばブザーなどで構成してもよいし、音声メッセージをスピーカーから出力してもよい。音声メッセージの音源はＥＥＰＲＯＭに予め格納してもよく、また固定パターンの音声メッセージを音源ＩＣにＲＯＭに焼き付けておき、検出結果出力からの検出結果に応じて音声メッセージを出力してもよい。音声メッセージは差込口（通信ポート）が区別できるように、差込口識別子（通信ポート番号）とともに「使用中」又は「空いている」等のメッセージを出力するようにすればよい。警報部０７０６又は０７０７が振動の場合は警報部に接続された物体を差込口構造体毎に設け、その物体を振動させて動かすことにより知らせてもよい。これらの警報部は１つだけで構成してもよく、複数組み合わせて使用してもよい。
【００６７】
実施形態６では、差込口構造体０７０３又は０７０４の差込口（通信ポート）に信号ケーブル０７１４又は０７１５の端子部分（差込プラグ）０７０８又は０７０９が挿入されているか否かの差込口使用状況確認が光、音、振動等により行える。
【００６８】
このように、実施形態６によれば、実施形態３〜５に加え、検出結果出力部からの検出結果を、警報部から光、音、振動のいずれか一以上で警報するので、例えば、電子機器の近くにいるネットワーク管理者は仲介電子機器に物理的に信号ケーブルの端子部分（差込プラグ）が挿入されているか否かも簡単に知ることができる。
＜実施形態７＞
＜概要＞
【００６９】
実施形態７のケーブル挿抜検出機能付電子機器は、実施形態１〜６を基本としつつ、筐体は、差し込まれる信号ケーブルが前記差し込まれる部分の底面部分が平面状である信号ケーブルに適した空間を形成する点に特徴がある。
＜実施形態７  構成＞
【００７０】
図３に示すように、実施形態７のケーブル挿抜検出機能付電子機器は、筐体を備えており、図８に示すような差し込まれる信号ケーブル０８０１の差し込まれる部分（端子部分）の底面部分が平面形状０８０２である信号ケーブルに適した空間を形成する。すなわち、図９に示すように、筐体０９０１の一部に切り欠き又は開口を有し、信号ケーブル０８０１の端子部分がぴったり差し込まれて筐体内に収容されるような空間０９０２を形成している。ここで、筐体０９０１には、実際は信号ケーブルの端子部分と電気的に接続する信号線取得コンタクトが設けられており、信号ケーブルがＬＡＮケーブルの場合は信号線取得コンタクトが８ピンあり、電話用の場合は信号線取得コンタクトが２ピン、４ピン、６ピンあるが、図面上は省略している。
【００７１】
このように、実施形態７によれば、実施形態１〜６に加え、筐体は、差し込まれる信号ケーブルが前記差し込まれる部分の底面部分が平面状である信号ケーブルに適した空間を形成するので、差込口構造体の光出射部と反射光検出部によるケーブル挿抜検出動作が良好に行われる。
【００７２】
このように、実施形態１〜７によれば、仲介電子機器側の差込口構造体に信号ケーブルの端子部分が差し込まれているか否かの挿抜検出機構を簡易的な構造で、かつ簡易的に電気的検出可能なケーブル挿抜検出機能付電子機器を提供することができる。これにより仲介電子機器の差込口構造体の空きがあといくつあるか遠隔からでも確認可能となる。
【符号の説明】
【００７３】
０１００、０２０１、０３０１  プリント基板
０１０１、０２０３  差込口構造体
０１０２  端子部分
０１０３、０３０５  光出射部
０１０４、０３０６  反射光検出部
０２００  ケーブル挿抜検出機能付電子機器
０２０２、０３０２  信号処理回路
０２０４  光出射部
０２０５  反射光検出部
０２０６、０８０１  信号ケーブル
０２０７、０２０８、０３０８、０３０９  電源供給部
０３０３  差込口構造体
０３０４、０９０１  筐体
０３０７  フォトセンサ構造体
０４０５、０５０５、０６０５、０７０５  検出結果出力部
０５０６  出力制御部
０６０６  無線出力部
０７０６、０７０７  警報部
０８０２  底面
０９０２  空間
１００１  光出射ステップ
１００２  反射光検出ステップ
１００３  判断ステップ
１００４  判断結果出力ステップ
【図１】
2019125428.tif 000003
【図２】
2019125428.tif 000004
【図３】
2019125428.tif 000005
【図４】
2019125428.tif 000006
【図５】
2019125428.tif 000007
【図６】
2019125428.tif 000008
【図７】
2019125428.tif 000009
【図８】
2019125428.tif 000010
【図９】
2019125428.tif 000011
【図１０】
2019125428.tif 000012
【図１１】
2019125428.tif 000013
【図１２】
2019125428.tif 000014